(57)【特許請求の範囲】
【請求項１】
昇降路に配置されて前側に出入口が設けられたかご室と、このかご室の上面及び下面をそれぞれ覆って設けられ、上記かご室の前側対応位置に配置されて上記昇降路の内面と少ない空隙を構成して対面して配置された平板部が形成されると共に先端に向かって間口及び奥行きが漸減する先細形状に形成され、かつ上記平板部の先端寄りに開口して内側に引退し上記かご室に接近する傾斜面により形成された流入路及び上記平板部から離れた位置に開口して上記流入路よりも上記かご室寄りに配置され上記内側から外面に接続した傾斜面により形成された流出路を有する整風カバーとを備えたエレベーターのかご装置。
【請求項２】
一端が流入路の開口部に接続されて整風カバー内に延長され、他端は流出路に接続されたダクトを備えたことを特徴とする請求項１記載のエレベーターのかご装置。
【請求項３】
ダクト内に設けられて流出路方向に送風する送風機を備えたことを特徴とする請求項２記載のエレベーターのかご装置。
【請求項４】
流出路に設けられ整風カバーの内側から外面に接続して形成されて、水平方向に空気流を誘導する傾斜面を備えたことを特徴とする請求項１記載のエレベーターのかご装置。
【請求項５】
流入路及び流出路の少なくとも一方に設けられた閉塞板と、この閉塞板を駆動する駆動機構と、かごの昇降時に昇降方向の先頭側の整風カバーに設けられた上記閉塞板の開放及び上記昇降方向の後尾側の整風カバーに設けられた上記閉塞板の閉塞を指令する制御装置とを備えたことを特徴とする請求項１記載のエレベーターのかご装置。
【請求項６】
流入路の有効開口部の面積よりも、流出路の有効開口部の面積を広く設定したことを特徴とする請求項１記載のエレベーターのかご装置。
【請求項７】
流出路を、かごの昇降によって生じる上記かご外部の空気流が、整風カバーの先端部に当たって上記かご外面から離れる剥離領域に配置したことを特徴とする請求項１記載のエレベーターのかご装置。
【発明の詳細な説明】
【０００１】
【発明の属する技術分野】
この発明は、昇降時に生じる空気の乱流を抑制する整風カバーが設けられたエベーターのかご装置に関する。
【０００２】
【従来の技術】
図１３は、例えば実公昭５７−２３６２号公報に示された従来のエレベーターのかご装置を示す縦断側面図である。図において、１は昇降路、２は昇降路１に設けられた乗場、３は主索４に吊持されて昇降路２を昇降するかご、５はかご３の要部を構成するかご室、６はかご室５の前側に設けられた出入口、７は出入口６を開閉するかごの戸である。
【０００３】
８は整風カバーで、かご室５の上面及び下面をそれぞれ覆って設けられ、かご室５の前側対応位置、すなわち出入口６対応位置に配置されて昇降路１の内面と少ない空隙を構成して対面して配置された平板部９及び先端側からかご室５の外周縁部に向かって傾斜する曲面部１０を有する先細形状に形成されている。
【０００４】
従来のエレベーターのかご装置は上記のように構成され、かご３が高速で昇降するときの空気流が平板部９と、先端に向かって間口及び奥行きが漸減する曲面部１０とによって先細形状に形成された整風カバー８によって整流される。すなわち、曲面部１０によって空気の渦流の発生が抑制されてかご室５内の騒音が減少する。
【０００５】
また、かごの戸７と出入口６との間の隙間のために遮音性の悪い出入口６側への空気の流入を平板部９によって防ぎ、かご室５内の騒音を少なくするようになっている。なお、かご３が図１３に示す矢印Ａ方向へ昇降、すなわち上昇する場合には矢印Ｂ方向へ空気が流れ、またかご３が下降する場合には反矢印Ｂ方向へ空気が流れる。
【０００６】
【発明が解決しようとする課題】
上記のような従来のエレベーターのかご装置において、整風カバー８の平板部９によって、かご３の昇降時に出入口６側への空気の流入を防ぐように構成されている。しかし、かご室５内の騒音を少なくする程度に空気の流入を防ぐことは困難であり、また昇降路１内面とかご３との狭い空間において空気流が縮流して流速が増すために騒音が大きくなる。したがって、その騒音がかごの戸７と出入口６との隙間からかご室５内へ伝わって乗り心地が悪くなるという問題点があった。
【０００７】
この発明は、かかる問題点を解消するためになされたものであり、かごの昇降時に昇降路内面とかごの出入口の間へ流入する空気流が少ないエレベーターのかご装置を得ることを目的とする。
【０００８】
【課題を解決するための手段】
この発明に係るエレベーターのかご装置においては、昇降路に配置されて前側に出入口が設けられたかご室と、このかご室の上面及び下面をそれぞれ覆って設けられ、かご室の前側対応位置に配置されて昇降路の内面と少ない空隙を構成して対面して配置された平板部が形成されると共に先端に向かって間口及び奥行きが漸減する先細形状に形成され、かつ平板部の先端寄りに開口して内側に引退しかご室に接近する傾斜面により形成された流入路及び平板部から離れた位置に開口して流入路よりもかご室寄りに配置され内側から外面に接続した傾斜面により形成された流出路を有する整風カバーとが設けられる。
【０００９】
また、この発明に係るエレベーターのかご装置においては、一端が流入路の開口部に接続されて整風カバー内に延長され、他端は流出路に接続されたダクトが設けられる。
【００１０】
また、この発明に係るエレベーターのかご装置においては、ダクト内に配置されて流出路方向に送風する送風機が設けられる。
【００１１】
また、この発明に係るエレベーターのかご装置においては、流出路に設けられ整風カバーの内側から外面に接続して形成されて、水平方向に空気流を誘導する傾斜面が設けられる。
【００１２】
また、この発明に係るエレベーターのかご装置においては、流入路及び流出路の少なくとも一方に設けられた閉塞板と、この閉塞板を駆動する駆動機構と、かごの昇降時に昇降方向の先頭側の整風カバーに設けられた閉塞板の開放及び昇降方向の後尾側の整風カバーに設けられた閉塞板の閉塞を指令する制御装置とが設けられる。
【００１３】
また、この発明に係るエレベーターのかご装置においては、流入路の有効開口部の面積よりも、流出路の有効開口部の面積が広く設定される。
【００１４】
また、この発明に係るエレベーターのかご装置においては、かごの昇降によって生じるかご外部の空気流が、整風カバーの先端部に当たってかご外面から離れる剥離領域に流出路が配置される。
【００１５】
【発明の実施の形態】
実施の形態１．
図１〜図１０は、この発明の実施の形態の一例を示す図で、図１はエレベーターのかご装置を示す縦断側面図、図２は図１のエレベーターのかご装置の左側面図、図３は図１の整風カバーの拡大斜視図、図４は図３の流入路箇所の縦断側面拡大図、図５は図４の流入路の閉塞状況を示す図４相当図、図６は図３の流出路箇所の拡大斜視図、図７は図６の流出路の長手に沿う断面図、図８は図７の右側面図、図９は図６の流出路の閉塞状況を示す図７相当図、図１０は図９の右側面図である。
【００１６】
図において、１は昇降路、２は昇降路１に設けられた乗場、３は主索４に吊持されて昇降路１を昇降するかご、５はかご３の要部を構成するかご室、６はかご室５の前側に設けられた出入口、７は出入口６を開閉するかごの戸である。８は整風カバーで、かご室５の上面及び下面をそれぞれ覆って設けられ、かご室５の前側対応位置、すなわち出入口６対応位置に配置されて昇降路１の内面と少ない空隙を構成して対面して配置された平板部９及び先端側からかご室５の外周縁部に向かって傾斜する曲面部１０を有する先細形状に形成されている。
【００１７】
１１は整風カバー８の平板部９の先端寄りに開口した流入路で、流入路１１縁部に一側が枢着されて開放時に内側に引退してかご室５に接近した傾斜面を形成する流入閉塞板１２、流入路１１縁部に設けられた支持腕１３及び詳細は後述するが支持腕１３に設けられて流入閉塞板１２を開閉動作させる電動シリンダーからなる流入側駆動機構１４が設けられている。
【００１８】
１５は流出路で、整風カバー８のかご室５の両側面対応位置にそれぞれ設けられて整風カバー８の曲面部１０基部、すなわち平板部９から離れた位置に開口し流入路１１位置よりもかご室５寄りに配置されて、内側から外面に接続して形成されて水平方向に空気流を誘導する傾斜面１６、流出路１５縁部に一側が枢着されて要時に流出路１５を閉塞する流出閉塞板１７、流出路１５縁部に設けられた支持腕１８及び詳細は後述するが支持腕１８に設けられて流出閉塞板１７を開閉動作させる電動シリンダーからなる流出側駆動機構１９が設けられている。
【００１９】
２０は制御装置で、流入側駆動機構１４及び流出側駆動機構１９に接続され、かご３の昇降時に昇降方向の先頭側の整風カバー８に設けられた流入閉塞板１２及び流出閉塞板１７の開放並びに昇降方向の後尾側の整風カバー８に設けられた流入閉塞板１２及び流出閉塞板１７の閉塞を指令する。
【００２０】
なお、かご３が例えば図１及び図２に示す矢印Ａ方向へ昇降、すなわち上昇すると矢印Ｂ方向及び矢印Ｃ方向へ空気が流れる。そして、かご３外部における空気流Ｂは整風カバー８の先端部に当たってかご３外面から離れ、その後昇降路１内面に当たって再度かご３外面に接近する。このため、かご３外部の空気流Ｂにおいて図２に示す剥離領域Ｄが発生する。また、かご３が下降する場合には反矢印Ｂ方向及び反矢印Ｃ方向へ空気が流れへ空気が流れ、また図２に示す剥離領域Ｄがかご３の下部対応位置に発生する。
【００２１】
上記のように構成されたエレベーターのかご装置において、かご３が高速で昇降するときの空気流が平板部９及び先端に向かって間口及び奥行きが漸減する曲面部１０によって先細形状に形成された整風カバー８によって整流される。すなわち、曲面部１０によって空気の渦流の発生が抑制されるので、かご室５内の騒音が少なくなる。また、かごの戸７と出入口６との隙間のために遮音性の悪い出入口６側への空気の流入が平板部９によって防がれて、出入口６側への空気の流入量が減少する。
【００２２】
しかも、かご３の昇降方向の先頭側の整風カバー８に設けられた流入路１１、流出路１５の流入閉塞板１２及び流出閉塞板１７が開放される。これにより、昇降路１内面と整風カバー８の平板部９の間に流入した空気が、整風カバー８の高圧側である流入路１１から、かご３外部の空気流Ｂの剥離領域Ｄに生じる低圧側であって流入路１１よりもかご室５寄りに設けられた流出路１５へ流出する。
なお、流出路１５をかご室５の出入口６に対向した背面相当位置に配置した構成であっても、図１〜図１０の実施の形態における作用を得ることができる。
【００２３】
これによって、整風カバー８の平板部９からかごの戸７の隙間のために遮音性の悪い出入口６側への空気の流入を一層少なくすることができる。このため、昇降路１内面とかご３との狭い空間において空気流が縮流して流速が増すことによって騒音が大きくなり、その騒音がかごの戸７と出入口６との隙間からかご室５内へ伝わる現象を防止することができ、かご３の乗り心地を向上することができる。
【００２４】
なお、一般的な二十人乗り程度のかご３において、流入路１１の有効開口部を間口１０cm、高さ８０cm程度とし、流出路１５を図２に示すようにかご３の両側面にそれぞれ設けて一つの流出路１５の有効開口部を間口２０cm、高さ２０cm程度とする。これによって、かご３の出入口６側へ流入した空気流のほぼ２／１に相当する流量を流出路１５からかご３外面へ流出する。
【００２５】
このため、かご３出入口６側の空気流量が半減するので、かご３出入口６側に生じる空力騒音を少なくすることができる。なお、空力騒音は空気流速の六乗に比例することから、上述の流入路１１等の有効開口面積であれば、かご３出入口６側で発生する騒音に対し１８ｄＢＡ程度の減音作用を得ることができる。そして、かご室５内の全ての騒音においても２〜３ｄＢＡ程度の減音作用を得ることができる。
【００２６】
また、一般的に昇降路１内面とかご３出入口６側の空間面積は、かご３の側面側や背面側に比べて非常に狭い。したがって、かご３側面側又はかご３背面側に空気を流出しても、流出側の空気流の増加は誤差範囲とみなすことができる。このため、流出側の空気流増加によって空力騒音が増大する恐れはない。
【００２７】
また、流出路１５に整風カバー８の内側から外面に接続して形成されて水平方向に空気流を誘導する傾斜面１６が設けられる。これによって、流出路１５から水平方向に空気が流出するので、かご３の昇降方向の如何に関わらず、流出する空気に起因する渦等による騒音の発生を少なくすることができる。したがって、かご室５内の騒音が減少してかご３の乗り心地を向上することができる。
【００２８】
また、制御装置２０によってかご３の昇降方向の先頭側の整風カバー８に設けられた流入路１１、流出路１５の流入閉塞板１２及び流出閉塞板１７が開放され、昇降方向の後尾側の整風カバー８に設けられた流入閉塞板１２及び流出閉塞板１７の閉塞される。これにより、昇降方向の後尾側の整風カバー８の流入路１１、流出路１５に空気が流通することがなく、後尾側の整風カバー８における騒音発生を防止できかご３の乗り心地を向上することができる。
【００２９】
また、流入路１１の有効開口部の面積よりも、流出路１５の合計有効開口部の面積を広く設定する。これによって、流入路１１から整風カバー８に流入する空気が効率よく流出路１５から流出する。このため、流出する空気の乱流等によって生じる騒音が減少してかご３の乗り心地を向上することができる。
【００３０】
実施の形態２
図１１及び図１２は、この発明の他の実施の形態の一例を示す図で、図１１はエレベーターのかご装置を示す縦断側面図、図１２は図１１のエレベーターのかご装置の左側面図である。図において、前述の図１〜図１０と同符号は相当部分を示し、２１はダクトで、一端が流入路１１縁部に形成されて内側に引退してかご室５に接近した傾斜面２２を介して流入路１１開口部に接続され、整風カバー８内に延長されて分岐され、他端は整風カバー８の両側面の流出路１５にそれぞれ接続されている。
【００３１】
２３は送風機で、ダクト２１内に設けられて両側の流出路１５のそれぞれに対応して設けられて、流出路１５方向へ送風する。２４は送風機２３のそれぞれに接続された制御装置で、かご３の昇降時に昇降方向の先頭側の整風カバー８に設けられた送風機２３の付勢及び昇降方向の後尾側の整風カバー８に設けられた送風機２３の消勢を指令する。
【００３２】
なお、かご３が例えば図１１及び図１２に示す矢印Ａ方向へ昇降、すなわち上昇すると矢印Ｂ方向及び矢印Ｃ方向へ空気が流れる。また、図示が省略してあるが、かご３外部における空気流Ｂは整風カバー８の先端部に当たってかご３外面から離れ、その後昇降路１内面に当たって再度かご３外面に接近する。このため、かご３外部の空気流Ｂにおいて図２に示す剥離領域Ｄが発生する。また、かご３が下降する場合には反矢印Ｂ方向及び反矢印Ｃ方向へ空気が流れへ空気が流れ、また図２に示す剥離領域Ｄがかご３の下部対応位置に発生する。
【００３３】
上記のように構成されたエレベーターのかご装置においても、整風カバー８に流入路１１、流出路１５が設けられて、昇降路１内面と整風カバー８の平板部９の間に流入した空気が流入路１１から流出路１５へ流出する。したがって、詳細な説明を省略するが図１１及び図１２の実施の形態においても図１〜図１０の実施の形態と同様な作用が得られる。
【００３４】
また、図１１及び図１２の実施の形態において、流入路１１へ流入した空気がダクト２１を経て流出路１５へ流出する。このため、かご室５と整風カバー８との間の等の構造体に生じる隙間、構造体における切欠部に起因して発生する空気流による騒音を防止することができる。したがって、整風カバー８等の構造体を容易に製作でき費用を低減することができる。
【００３５】
また、ダクト２１内に送風機２３が設けられて制御装置２４によってかご３の昇降方向に応じて付勢されて流出路１５方向へ送風される。このため、昇降路１内面と整風カバー８の平板部９の間に流入した空気が、流入路１１から流出路１５へ強制送風されて排出される。したがって、整風カバー８の平板部９からかごの戸７と出入口６との隙間のために遮音性の悪い出入口６側への空気の流入を一層少なくすることができる。このため、かご室５内へ伝わる騒音を防止することができて、かご３の乗り心地をさらに向上することができる。
【００３６】
なお、昇降速度が６００m/min 以上のエレベーターに対して送風機２３として、間口２０cm、高さ２０cm程度のダクト２１内に一般的に市販されている直径２０cm〜２２cm程度のストレートシロッコファンを装備する。これによって、昇降路１内面と整風カバー８の平板部９の間に流入した空気を、流入路１１から流出路１５へ強制的に送風して排出することができ、所要の騒音防止作用を得ることができる。
【００３７】
また、送風機２３は遮音性の高いかご室５の上面、下面に設けられて、かご３の昇降方向に応じてかご室５の上面及び下面の一方の送風機２３のみが運転される。このため、送風機２３の運転によって、かご室５内の騒音が増加して、副作用的にかご３の乗り心地を低下させる恐れはない。
【００３８】
【発明の効果】
この発明は以上説明したように、昇降路に配置されて前側に出入口が設けられたかご室と、このかご室の上面及び下面をそれぞれ覆って設けられ、かご室の前側対応位置に配置されて昇降路の内面と少ない空隙を構成して対面して配置された平板部が形成されると共に先端に向かって間口及び奥行きが漸減する先細形状に形成され、かつ平板部の先端寄りに開口して内側に引退しかご室に接近する傾斜面により形成された流入路及び平板部から離れた位置に開口して流入路よりもかご室寄りに配置され内側から外面に接続した傾斜面により形成された流出路を有する整風カバーとを設けたものである。
【００３９】
これによって、かごが昇降するときの空気流が平板部及び先細形状に形成された整風カバーによって整流され、渦流の発生が抑制されてかご室内の騒音が少なくなる。また、かごの出入口側への空気の流入が平板部により抑制され、しかも、昇降路内面と整風カバーの平板部の間に流入した空気が、整風カバーの高圧側である流入路から整風カバー内を経て流出路へ流出する。したがって、かごの出入口側への空気の流入を一層少なくすることができる。これにより、昇降路内面とかごとの狭い空間において空気流が縮流して流速が増すことにより騒音が大きくなり騒音がかごの戸の隙間からかご室内へ伝わる現象を防ぐことができ、かごの乗り心地を向上する効果がある。
【００４０】
また、この発明は以上説明したように、一端が流入路の開口部に接続されて整風カバー内に延長され、他端は流出路の開口部に接続されたダクトを設けたものである。
【００４１】
これによって、流入路へ流入した空気がダクトを経て流出路へ流出する。このため、かご室と整風カバーとの間の等の構造体に生じる隙間、構造体における切欠部に起因して発生する空気流による騒音を防止することができる。したがって、整風カバー等の構造体を容易に製作でき費用を低減する効果がある。
【００４２】
また、この発明は以上説明したように、ダクト内に配置されて流出路方向に送風する送風機を設けたものである。
【００４３】
これによって、昇降路内面と整風カバーの平板部の間に流入した空気が、流入路から流出路へ強制送風されて排出される。したがって、整風カバーの平板部からかごの戸と出入口との隙間のために遮音性の悪い出入口側への空気の流入を一層少なくすることができ、かご室内へ伝わる騒音を防止することができて、かごの乗り心地をさらに向上する効果がある。
【００４４】
また、この発明は以上説明したように、流出路に設けられ整風カバーの内側から外面に接続して形成されて、水平方向に空気流を誘導する傾斜面を設けたものである。
【００４５】
これによって、流出路から水平方向に空気が流出するので、かごの昇降方向の如何に関わらず、流出する空気に起因する渦等による騒音の発生を少なくすることができる。したがって、かご室内の騒音が減少してかごの乗り心地を向上する効果がある。
【００４６】
また、この発明は以上説明したように、流入路及び流出路の少なくとも一方に設けられた閉塞板と、この閉塞板を駆動する駆動機構と、かごの昇降時に昇降方向の先頭側の整風カバーに設けられた閉塞板の開放及び昇降方向の後尾側の整風カバーに設けられた閉塞板の閉塞を指令する制御装置とを設けたものである。
【００４７】
これによって、制御装置によりかごの昇降方向の後尾側の整風カバーに設けられた閉塞板の閉塞され、昇降方向の後尾側の整風カバーの流入路、流出路に空気が流通することがなく、後尾側の整風カバーにおける騒音発生を防止でき、かごの乗り心地を向上する効果がある。
【００４８】
また、この発明は以上説明したように、流入路の有効開口部の面積よりも、流出路の有効開口部の面積を広く設定したものである。
【００４９】
これによって、流入路から整風カバーに流入する空気が効率よく流出路から流出する。このため、流出する空気の乱流等によって生じる騒音が減少してかごの乗り心地を向上する効果がある。
【００５０】
また、この発明は以上説明したように、かごの昇降によりかご外部の空気流が整風カバーの先端部に当たってかご外面から離れる剥離領域に流出路を配置したものである。
【００５１】
これによって、かごの昇降によりかご外部の空気流がかご外面から離れて低圧側となる剥離領域に、整風カバーの流出路が設けられる。このため、昇降路内面と整風カバーの平板部の間に流入した空気が、高圧側である流入路から低圧側の流出路へ効率よく流出する。したがって、整風カバーの平板部からかごの出入口側への空気の流入をさらに少なくすることができる。このため、昇降路内面とかごとの狭い空間において空気流が縮流して流速が増すことにより騒音が大きくなり、その騒音がかごの戸の隙間からかご室内へ伝わる現象を防ぐことができて、かごの乗り心地を向上する効果がある。
【図面の簡単な説明】
【図１】  この発明の実施の形態１を示す図で、エレベーターのかご装置を示す縦断側面図。
【図２】  図１のエレベーターのかご装置の左側面図。
【図３】  図１の整風カバーの拡大斜視図。
【図４】  図３の流入路箇所の縦断側面を拡大した図。
【図５】  図４の流入路の閉塞状況を示す図４相当図。
【図６】  図３の流出路箇所の拡大斜視図。
【図７】  図６の流出路の長手に沿う断面図。
【図８】  図７の右側面図。
【図９】  図６の流出路の閉塞状況を示す図７相当図。
【図１０】  図９の右側面図。
【図１１】  この発明の実施の形態２を示す図で、エレベーターのかご装置を示す縦断側面図。
【図１２】  図１１のエレベーターのかご装置の左側面図。
【図１３】  従来のエレベーターのかご装置を示す縦断側面図。
【符号の説明】
１  昇降路、５  かご室、６  出入口、８  整風カバー、９  平板部、１１流入路、１２  流入閉塞板（傾斜面）、１４  流入側駆動機構、１５  流出路、１６  傾斜面、１７  流出閉塞板、１９  流出側駆動機構、２０  制御装置、２１  ダクト、２３  送風機、２４  制御装置、Ｄ  剥離領域。
【図１】
0004339451.tif 000002
【図２】
0004339451.tif 000003
【図３】
0004339451.tif 000004
【図４】
0004339451.tif 000005
【図５】
0004339451.tif 000006
【図６】
0004339451.tif 000007
【図７】
0004339451.tif 000008
【図８】
0004339451.tif 000009
【図９】
0004339451.tif 000010
【図１０】
0004339451.tif 000011
【図１１】
0004339451.tif 000012
【図１２】
0004339451.tif 000013
【図１３】
0004339451.tif 000014